(57)【特許請求の範囲】
【請求項１】
空調室の天井に設けられた空気調和装置であって、
４つの辺部（３０ａ〜３０ｄ）と４つの角部（３０ｅ〜３０ｈ）とが交互に連続して形成されたケーシング下部（３、７）と、前記各辺部に沿うように配置された主吹出口（３２ａ〜３２ｄ）と、前記各辺部に囲まれるように配置された吸入口（３１）と、前記４つの角部の少なくとも１つに配置された補助吹出口（３２ｅ〜３２ｈ）とを有するケーシング（２）と、
前記各主吹出口の長手方向の軸周りに揺動可能となるように前記ケーシング下部に軸支される連結ピン（３６）を有しており、前記主吹出口から吹き出される気流（Ｘ）の風向を可変することが可能な水平羽根（３５ａ〜３５ｄ）と、
前記４つの角部のうち前記補助吹出口が設けられた角部において、前記角部に隣り合う２つの水平羽根の連結ピンに連結されており、前記２つの水平羽根を互いに同期して揺動させるリンク機構（３７）とを備え、
前記補助吹出口の周縁部は、前記補助吹出口から一定方向に空気が吹き出されるように形成されており、
前記連結ピンは、前記水平羽根の長手方向の端部よりも長手方向の内側の位置に設けられており、前記水平羽根の長手方向の端部よりも長手方向の内側の位置で前記リンク機構に連結されている、
空気調和装置（１）。
【請求項２】
前記補助吹出口（３２ｅ〜３２ｈ）は、前記主吹出口（３２ａ〜３２ｄ）よりも開口面積が小さい、請求項１に記載の空気調和装置（１）。
【請求項３】
前記補助吹出口（３２ｅ〜３２ｈ）から吹き出される空気（Ｙ）の上下の吹き出し方向は、前記主吹出口（３２ａ〜３２ｄ）から吹き出される気流（Ｘ）の前記水平羽根（３５ａ〜３５ｄ）による上下の風向調節範囲のほぼ中間の方向である、請求項１又は２に記載の空気調和装置（１）。
【発明の詳細な説明】
【技術分野】
【０００１】
本発明は、空気調和装置、特に、空調室の天井に設けられた空気調和装置に関する。
【背景技術】
【０００２】
従来の空調室の天井に設けられた空気調和装置は、主として、４つの辺部と４つの角部とが交互に連続して形成されたケーシング下部と、各辺部に沿うように配置された吹出口と、各辺部に囲まれるように配置された吸入口とを有するケーシングと、ケーシング内に配置された送風機及び熱交換器と、各吹出口の長手方向の軸周りに揺動可能に設けられ吹出口から吹き出される気流の風向を可変することが可能な水平フラップとを備えている。この水平フラップを揺動させるためのモータやリンク機構等は、例えば、天井埋込型の空気調和装置において、ケーシング下部を構成する化粧パネルの角部に配置されている（例えば、特許文献１参照。）。このような空気調和装置では、送風機の駆動により吸入口を通じてケーシング内に空調室内の空気を吸入し、ケーシング内に吸入された空気を熱交換器によって加熱又は冷却した後、各吹出口を通じて４方に吹き出すようになっている。
【０００３】
ところで、空調室内の温度を所定の温度に調節するためには、空気調和装置から吹き出される空気の流量をできるだけ増加させることが望ましい。しかし、吹出口から吹き出される空気の流量を増加させると、吹出口から吹き出される空気の流速が大きくなるため、ドラフトが生じてしまい、空調室内の気流分布を良好にすることができない。
そこで、吸入口を囲むように円弧状の吹出口を設け、この吹出口を通じて放射状に空気を吹き出すようにした空気調和装置が提案されている（例えば、特許文献２参照。）。この空気調和装置では、吹出口を円弧状に形成することによって吹出口の開口面積が大きくすることができるため、吹出口から吹き出される空気の流速の増加を抑えつつ、吹出口から吹き出される空気の流量を増加させることができるようになるとされている。
【０００４】
しかし、この空気調和装置では、吹出口の形状が円弧状であることから、水平フラップを揺動させる際に、水平フラップを上下にスライド移動できるようにしなければならないため、その水平フラップのスライド移動を行うためのスライド機構がさらに設けられている。このスライド機構は、主として、水平フラップに一体形成された揺動リンクと、一端が揺動リンクにピン結合され他端がモータの回転軸に連結されたレバーと、レバーとケーシングとを接続するバネと、水平フラップに一体形成された摺動軸と、摺動軸を上下に案内するガイド溝とから構成されている。そして、モータの駆動及びバネの弾性により、ガイド溝に沿って摺動軸を上下に案内して水平フラップを上下にスライドさせて、吹出口から吹き出される気流の風向を可変できるようにしている。
【０００５】
このように、このような空気調和装置では、円弧状の吹出口から空気を吹き出すことによって、空気の流量を増加させて空調室内の気流分布を良好にすることができるようになる一方で、スライド機構を設ける必要があるため、吹出口から吹き出される気流の風向を可変するための構成が複雑になり、コストの増加が生じてしまう。
【特許文献１】特公平７−６９５７１号公報
【特許文献２】特開２００１−２０１１６５号公報
【発明の開示】
【発明が解決しようとする課題】
【０００６】
本発明の課題は、空調室の天井に設けられた空気調和装置において、空調室内の気流分布を良好にするとともに、吹出口から吹き出される気流の風向を調節するための構造を簡単にすることにある。
【課題を解決するための手段】
【０００７】
請求項１に記載の空気調和装置は、空調室の天井に設けられた空気調和装置であって、ケーシングと、水平羽根と、リンク機構とを備えている。ケーシングは、４つの辺部と４つの角部とが交互に連続して形成されたケーシング下部と、各辺部に沿うように配置された主吹出口と、各辺部に囲まれるように配置された吸入口と、４つの角部の少なくとも１つに配置された補助吹出口とを有している。水平羽根は、各主吹出口の長手方向の軸周りに揺動可能となるようにケーシング下部に軸支される連結ピンを有しており、主吹出口から吹き出される気流の風向を可変することが可能である。リンク機構は、４つの角部のうち補助吹出口が設けられた角部において、角部に隣り合う２つの水平羽根の連結ピンに連結されており、２つの水平羽根を互いに同期して揺動させる。補助吹出口の周縁部は、補助吹出口から一定方向に空気が吹き出されるように形成されている。連結ピンは、水平羽根の長手方向の端部よりも長手方向の内側の位置に設けられており、水平羽根の長手方向の端部よりも長手方向の内側の位置でリンク機構に連結されている。
【０００８】
この空気調和装置では、吸入口からケーシング内に吸入された空気が４つの主吹出口と、４つの角部の少なくとも１つに配置された補助吹出口とを通じて空調室内に吹き出されるようになっている。ここで、補助吹出口から吹き出される空気は、隣り合う主吹出口から吹き出される気流に引きずられて風向が変化する傾向にある。このため、補助吹出口から吹き出される空気は、この補助吹出口に隣り合う主吹出口に設けられた水平羽根を揺動させることによって、主吹出口から空調室内に吹き出される気流の風向と同じ方向に向くように変化させられることになる。この特性を利用すると、補助吹出口から吹き出される空気の上下方向の風向を可変するための水平羽根等の機構を補助吹出口に設けずに一定方向に吹き出すようにしていても、補助吹出口から吹き出される空気の風向を可変することができるようになる。
【０００９】
このように、この空気調和装置では、補助吹出口を設けることによって空気の流量を増加させて空調室内の気流分布を良好にすることができるとともに、吹き出し方向を調節するための構成を簡単にすることができる。
しかも、この空気調和装置では、４つの角部のうち補助吹出口が設けられた角部において、角部に隣り合う２つの水平羽根を互いに同期して揺動させるためのリンク機構が設けられており、水平羽根をその長手方向の端部よりも長手方向の内側の位置においてリンク機構と連結させることができる構成になっているため、リンク機構を補助吹出口の吸入口側に配置することができるようになっている。
【００１０】
このように、この空気調和装置では、リンク機構を補助吹出口の吸入口側に配置することによって、ケーシングの平面形状を変更することなく、補助吹出口及びリンク機構の両方を角部に設けることが可能になる。
【００１１】
請求項２に記載の空気調和装置は、請求項１において、補助吹出口は、主吹出口よりも開口面積が小さい。
この空気調和装置では、主吹出口から吹き出される空気の流速を大幅に低下させてしまうことがないため、補助吹出口を設けることによって空調室内の気流分布を良好にすることができるとともに、主吹出口から吹き出される空気をできる限り遠方まで到達させることができる。
【００１２】
請求項３に記載の空気調和装置は、請求項１又は２において、補助吹出口から吹き出される空気の上下の吹き出し方向は、主吹出口から吹き出される空気の吹き出し方向の水平羽根による上下の風向調節範囲のほぼ中間の方向である。
この空気調和装置では、補助吹出口から吹き出される空気を主吹出口から吹き出される気流の吹き出し方向に近い方向に吹き出すことによって、主吹出口から吹き出される気流の影響を受けやすくなるため、主吹出口から吹き出される気流に引きずられて補助吹出口から吹き出される気流の風向が変化する際の追従性が向上し、空調室内の気流分布をさらに良好に保つことができる。
【発明の効果】
【００１３】
以上の説明に述べたように、本発明によれば、以下の効果が得られる。
請求項１にかかる発明では、補助吹出口から吹き出される空気が隣り合う主吹出口から吹き出される気流に引きずられて風向が変化する傾向にあるという特性を利用して、補助吹出口から吹き出される空気の上下方向の風向を可変するための水平羽根等の機構を補助吹出口に設けなくても、補助吹出口から吹き出される空気の風向を可変することができるようになるため、空調室内の気流分布を良好にすることができるとともに、吹き出し方向を調節するための構成を簡単にすることができる。しかも、水平羽根をその長手方向の端部よりも長手方向の内側の位置においてリンク機構と連結させることができる構成になっているため、リンク機構を補助吹出口の吸入口側に配置することができて、ケーシングの平面形状を変更することなく、補助吹出口及びリンク機構の両方を角部に設けることが可能になる。
【００１４】
請求項２にかかる発明では、主吹出口から吹き出される空気の流速を大幅に低下させてしまうことがないため、補助吹出口を設けることによって空調室内の気流分布を良好にすることができるとともに、主吹出口から吹き出される空気をできる限り遠方まで到達させることができる。
【００１５】
請求項３にかかる発明では、補助吹出口から吹き出される空気を主吹出口から吹き出される気流の吹き出し方向に近い方向に吹き出すことによって、主吹出口から吹き出される気流の影響を受けやすくなるため、主吹出口から吹き出される気流に引きずられて補助吹出口から吹き出される気流の風向が変化する際の追従性が向上し、空調室内の気流分布をさらに良好に保つことができる。
【発明を実施するための最良の形態】
【００１６】
以下、本発明にかかる空気調和装置の実施形態について、図面に基づいて説明する。
（１）空気調和装置の基本構成
図１に本発明の一実施形態にかかる空気調和装置１の外観斜視図（天井は省略）を示す。空気調和装置１は、天井埋込型の空気調和装置であり、内部に各種構成機器を収納するケーシング２を備えている。ケーシング２は、ケーシング本体２ａと、ケーシング本体２ａの下側に配置された化粧パネル３とから構成されている。ケーシング本体２ａは、図２に示されるように、空調室の天井Ｕに形成された開口に挿入されて配置されている。そして、化粧パネル３は、天井Ｕの開口に嵌め込まれるように配置されている。ここで、図２は、空気調和装置１の概略側面断面図であって、図３のＡ−Ｏ−Ａ断面図である。
【００１７】
＜ケーシング本体＞
ケーシング本体２ａは、図２及び図３に示されるように、その平面視において、長辺と短辺とが交互に形成された略８角形状の下面が開口した箱状体であり、長辺と短辺とが交互に連続して形成された略８角形状の天板２１と、天板２１の周縁部から下方に延びる側板２２とを有している。ここで、図３は、空気調和装置１の概略平面断面図であって、図２のＢ−Ｂ断面図である。
【００１８】
側板２２は、天板２１の長辺に対応する側板２２ａ、２２ｂ、２２ｃ、２２ｄと、天板２１の短辺に対応する側板２２ｅ、２２ｆ、２２ｇ、２２ｈとから構成されている。ここで、例えば、側板２２ｄと側板２２ａとは、側板２２ｅを挟んで互いが略直交するように配置されている。他の側板２２ａ、２２ｂ間、側板２２ｂ、２２ｃ間、側板２２ｃ、２２ｄ間についても、側板２２ｄ、２２ａ間と同様に、互いが略直交するように配置されている。また、側板２２ｅは、隣り合う側板２２ｄ及び側板２２ａとのなす角度αが約１３５度になるように配置されている。側板２２ｆ、２２ｇについても、側板２２ｅと同様に、隣り合う側板とのなす角度が約１３５度になるように配置されている。尚、側板２２ｈは、熱交換器６（後述）と室外ユニット（図示せず）との間で冷媒をやりとりするための冷媒配管が貫通する部分を構成しており、他の側板２２ｅ、２２ｆ、２２ｇとは異なる形状となっている。また、各側板２２ｅ、２２ｆ、２２ｇ、２２ｈには、ケーシング本体２ａを天井裏空間に設置する際に使用される固定金具２３が設けられている。そして、ケーシング本体２ａは、平面視において、固定金具２３を含めた形状が略４角形になるように、天板２１の長辺及び短辺の長さが設定されている。
【００１９】
＜化粧パネル＞
化粧パネル３は、図２、図３及び図４に示されるように、平面視が略４角形状の板状体であり、主として、ケーシング本体２ａの下端部に固定されたパネル本体３ａから構成されている。ここで、図４は、空気調和装置１の化粧パネル３を空調室内から見た平面図である。
【００２０】
パネル本体３ａは、複数個（本実施形態では、４個）のパネル辺部３０ａ、３０ｂ、３０ｃ、３０ｄ（辺部）と、複数個（本実施形態では、４個）のパネル角部３０ｅ、３０ｆ、３０ｇ、３０ｈ（角部）とが交互に連続して形成されている。パネル辺部３０ａ、３０ｂ、３０ｃ、３０ｄは、それぞれ、ケーシング本体２ａの側板２２ａ、２２ｂ、２２ｃ、２２ｄに対応するように配置されている。パネル角部３０ｅ、３０ｆ、３０ｇ、３０ｈは、それぞれ、ケーシング本体２ａの側板２２ｅ、２２ｆ、２２ｇ、２２ｈに対応するように配置されている。
【００２１】
パネル本体３ａは、その略中央に空調室内の空気を吸入する吸入口３１と、パネル辺部３０ａ、３０ｂ、３０ｃ、３０ｄのそれぞれに対応するように形成されケーシング本体２ａ内から空調室内に空気を吹き出す複数個（本実施形態では、４個）の主吹出口３２ａ、３２ｂ、３２ｃ、３２ｄを有している。吸入口３１は、本実施形態において、略正方形状の開口である。４つの主吹出口３２ａ、３２ｂ、３２ｃ、３２ｄは、それぞれ、各パネル辺部３０ａ、３０ｂ、３０ｃ、３０ｄに沿うように細長く延びる略長方形状の開口である。
【００２２】
また、パネル本体３ａの下面には、吸入口３１を囲むように、かつ、４つの主吹出口３２ａ、３２ｂ、３２ｃ、３２ｄに囲まれるように配置された４角環状のパネル下面部３ｂが設けられている。パネル下面部３ｂは、主吹出口３２ａ、３２ｂ、３２ｃ、３２ｄの吸入口３１側の縁部を構成している。具体的には、パネル下面部３ｂの４辺に対応する外周縁部３９ａ、３９ｂ、３９ｃ、３９ｄは、化粧パネル３の平面視において、主吹出口３２ａ、３２ｂ、３２ｃ、３２ｄの吸入口３１側の部分に重なるように配置されている。
【００２３】
そして、吸入口３１には、吸入グリル３３と、吸込口３１から吸入された空気中の塵埃を除去するためのフィルタ３４とが設けられている。
また、主吹出口３２ａ、３２ｂ、３２ｃ、３２ｄには、長手方向の軸周りに揺動可能な水平フラップ３５ａ、３５ｂ、３５ｃ、３５ｄ（水平羽根）がそれぞれ設けられている。水平フラップ３５ａ、３５ｂ、３５ｃ、３５ｄは、それぞれが対応する主吹出口３２ａ、３２ｂ、３２ｃ、３２ｄの長手方向に細長く延びる略長方形状の羽根部材であり、その長手方向の両端部近傍に連結ピン３６がそれぞれ設けられている。そして、水平フラップ３５ａ、３５ｂ、３５ｃ、３５ｄは、それぞれ、連結ピン３６が化粧パネル３に回転可能に支持されることにより、主吹出口３２ａ、３２ｂ、３２ｃ、３２ｄの長手方向の軸周りに揺動可能になっている。パネル角部３０ｆを除く３つのパネル角部３０ｅ、３０ｇ、３０ｈにおいて、隣り合う連結ピン３６同士は、リンク機構としての連結軸３７により連結されている。パネル角部３０ｅを例にすると、水平フラップ３５ｄのパネル角部３０ｅ側の連結ピン３６と水平フラップ３５ａのパネル角部３０ｅ側の連結ピン３６とは、連結軸３７により連結されており、連結軸３７の回転によって回転するようになっている。また、パネル角部３０ｈに配置された連結軸３７には、モータ３８の駆動軸が連結されている。これにより、モータ３８を駆動させると、連結軸３７及び水平フラップ３５ａ、３５ｂ、３５ｃ、３５ｄに設けられた連結ピン３６を介して４つの水平フラップ３５ａ、３５ｂ、３５ｃ、３５ｄが同期して上下に揺動するようになっている。そして、この水平フラップ３５ａ、３５ｂ、３５ｃ、３５ｄの揺動により、主吹出口３２ａ、３２ｂ、３２ｃ、３２ｄから空調室内に吹き出される気流Ｘの風向を可変することができるようになっている。
【００２４】
例えば、図５に示されるように、主吹出口３２ｂから空調室内に吹き出される気流Ｘの風向は、水平フラップ３５ｂによって、天井Ｕの下面に対して角度β1から角度β2まで上下方向に可変されるようになっている。他の主吹出口３２ａ、３２ｃ、３２ｄから空調室内に吹き出される気流の風向についても、主吹出口３２ｂから空調室内に吹き出される気流Ｘの風向と同様に、天井Ｕの下面に対して角度β1から角度β2まで上下方向に可変される。ここで、図５は、図２の拡大図であって、主吹出口３２ｂに対応する主吹出流路１２ｂ（後述）付近を示す図である。
【００２５】
ケーシング本体２ａの内部には、主に、空調室内の空気を化粧パネル３の吸入口３１を通じてケーシング本体２ａ内に吸入して外周方向に吹き出す送風機４と、送風機４の外周を囲むように配置された熱交換器６とが配置されている。
送風機４は、本実施形態において、ターボファンであり、ケーシング本体２ａの天板２１の中央に設けられたファンモータ４１と、ファンモータ４１に連結されて回転駆動される羽根車４２とを有している。羽根車４２は、ファンモータ４１に連結される円板状のエンドプレート４３と、エンドプレート４３の下面の外周部に設けられた複数のブレード４４と、ブレード４４の下側に設けられた中央に開口を有する円板状のエンドリング４５とを有している。送風機４は、ブレード４４の回転によって、エンドリング４５の開口を通じて羽根車４２の内部に空気を吸入し、羽根車４２内に吸入された空気を羽根車４２の外周側に吹き出すことができる。
【００２６】
熱交換器６は、本実施形態において、送風機４の外周を囲むように曲げられて形成されたクロスフィンチューブ型の熱交換器パネルであり、屋外等に設置された室外ユニット（図示せず）に冷媒配管を介して接続されている。熱交換器６は、冷房運転時には内部を流れる冷媒の蒸発器として、暖房運転時には内部を流れる冷媒の凝縮器として機能できるようになっている。これにより、熱交換器６は、送風機４によって吸入口３１を通じてケーシング本体２ａ内に吸入された空気と熱交換を行って、冷房運転時には空気を冷却し、暖房運転時には空気を加熱することができる。
【００２７】
熱交換器６の下側には、熱交換器６において空気中の水分が凝縮されて生じるドレン水を受けるためのドレンパン７が配置されている。ドレンパン７は、ケーシング本体２ａの下部に装着されている。ドレンパン７は、化粧パネル３の吸入口３１に連通するように形成された吸入孔７１と、化粧パネル３の主吹出口３２ａ、３２ｂ、３２ｃ、３２ｄに連通するように形成された４つの主吹出孔７２ａ、７２ｂ、７２ｃ、７２ｄと、熱交換器６の下側に形成されドレン水を受けるドレン水受け溝７３とを有している。ここで、主吹出孔７２ａ、７２ｂ、７２ｃ、７２ｄは、それぞれが対応する主吹出口３２ａ、３２ｂ、３２ｃ、３２ｄの長手方向の長さが短くなっている。特に、主吹出孔７２ｃは、側板２２ｇ側に配置されドレン水受け溝７３に溜まったドレン水を排出するためのドレンポンプ８と、側板２２ｈ側の冷媒配管が貫通する部分とに挟まれているため、他の主吹出孔７２ａ、７２ｂ、７２ｄよりも長手方向の長さが短くなっている。
【００２８】
そして、吸入孔７１は、化粧パネル３の吸入口３１とともに、空調室内の空気をケーシング本体２ａ内に吸入する実質的な吸入口としての吸入流路を構成している。また、主吹出孔７２ａ、７２ｂ、７２ｃ、７２ｄは、それぞれが連通する化粧パネル３の主吹出口３２ａ、３２ｂ、３２ｃ、３２ｄとともに、熱交換器６において熱交換された空気を空調室内に吹き出す実質的な主吹出口としての主吹出流路１２ａ、１２ｂ、１２ｃ、１２ｄを構成している。つまり、本実施形態の空気調和装置１では、化粧パネル３とドレンパン７とによって、ケーシング２の下部が構成されており、このケーシング２の下部に実質的な吸入口及び主吹出口としての吸入流路及び主吹出流路１２ａ、１２ｂ、１２ｃ、１２ｄが形成されている。
また、ドレンパン７の吸入孔７１には、吸入口３１から吸入される空気を送風機４の羽根車４２へ案内するためのベルマウス５が配置されている。
【００２９】
（２）補助吹出口の構造及びその周辺の構成
上記のような基本構成を有する空気調和装置１は、図１〜図８に示されるように、化粧パネル３のパネル角部３０ｅ、３０ｆ、３０ｇ、３０ｈのそれぞれに対応するように形成され、ケーシング本体２ａ内から空調室内に空気を吹き出す複数個（本実施形態では、４個）の補助吹出口３２ｅ、３２ｆ、３２ｇ、３２ｈをさらに有している。ここで、図６は、図２の拡大図であって、補助吹出口３２ｅに対応する補助吹出流路１２ｅ（後述）付近を示す図である。図７は、図４の拡大図であって、補助吹出口３２ｅ付近を示す図（パネル下面部３ｂの一部を破断して図示）である。図８は、図３のＣ−Ｃ断面図である。
４つの補助吹出口３２ｅ、３２ｆ、３２ｇ、３２ｈは、それぞれ、化粧パネル３の平面視において、ケーシング本体２ａの側板２２ｅ、２２ｆ、２２ｇ、２２ｈに沿うように形成された略長方形状の開口である。ここで、補助吹出口３２ｅ、３２ｆ、３２ｇ、３２ｈの開口面積Ｓ2は、主吹出口３２ａ、３２ｂ、３２ｃ、３２ｄの開口面積Ｓ1よりも小さくなっている。
【００３０】
また、補助吹出口３２ｅ、３２ｆ、３２ｇ、３２ｈの吸入口３１側の部分には、化粧パネル３の平面視において、パネル下面部３ｂの各外周縁部３９ａ、３９ｂ、３９ｃ、３９ｄ間の外周角部３９ｅ、３９ｆ、３９ｇ、３９ｈが重なるように配置されている。このため、パネル下面部３ｂは、主吹出口３２ａ、３２ｂ、３２ｃ、３２ｄの吸入口３１側の縁部だけでなく、補助吹出口３２ｅ、３２ｆ、３２ｇ、３２ｈの吸入口３１側の縁部をも構成していることになる。そして、これらの外周角部３９ｅ、３９ｆ、３９ｇ、３９ｈは、その補助吹出口３２ｅ、３２ｆ、３２ｇ、３２ｈ側の面が補助吹出口３２ｅ、３２ｆ、３２ｇ、３２ｈから空調室内に吹き出される空気を斜め下方の一定方向に吹き出すように形成されている。
【００３１】
しかも、補助吹出口３２ｅ、３２ｆ、３２ｇ、３２ｈには、主吹出口３２ａ、３２ｂ、３２ｃ、３２ｄとは異なり、吹き出される気流の風向を可変するための水平フラップが設けられていない。そして、例えば、図６に示されるように、補助吹出口３２ｅから空調室内に吹き出される気流の風向は、隣り合う主吹出口３２ｄ、３２ａに設けられた水平フラップ３５ｄ、３５ａによる主吹出口３２ｄ、３２ａから吹き出される気流の上下方向の風向調節範囲（具体的には、天井Ｕの下面に対して角度β1から角度β2までの範囲）のほぼ中間の方向である角度γ（≒β1／２＋β2／２）をなす方向となっている。他の補助吹出口３２ｆ、３２ｇ、３２ｈから空調室内に吹き出される気流の風向についても、補助吹出口３２ｅから空調室内に吹き出される気流Ｙの風向と同様に、天井Ｕの下面に対して角度γをなす方向となっている。
【００３２】
また、ドレンパン７は、化粧パネル３の補助吹出口３２ｅ、３２ｆ、３２ｇに連通するように形成された３つの補助吹出孔７２ｅ、７２ｆ、７２ｇをさらに有している。ここで、本実施形態において、ドレンパン７の化粧パネル３の補助吹出口３２ｈに対応する位置には、補助吹出孔が形成されていない。このため、化粧パネル３の補助吹出口３２ｈは、本実施形態において、ケーシング本体２ａ内に吸入された空気を空調室内に向かって吹き出す機能を有していない。ここで、補助吹出孔７２ｅは、対応する補助吹出口３２ｅの長手方向の長さとほぼ同じであるが、補助吹出孔７２ｆは、側板２２ａ側にドレン水受け溝７３の一部が張り出しているため、対応する補助吹出口３２ｆの長手方向の長さよりも短くなっている。また補助吹出孔７２ｇは、側板２２ｃ側にドレンポンプ８が配置されているため、対応する補助吹出口３２ｇの長手方向の長さよりも短くなっている。
【００３３】
そして、３つの補助吹出孔７２ｅ、７２ｆ、７２ｇは、それぞれが連通する化粧パネル３の補助吹出口３２ｅ、３２ｆ、３２ｇとともに、熱交換器６において熱交換された空気を空調室内に吹き出す３つの補助吹出流路１２ｅ、１２ｆ、１２ｇを構成している。つまり、本実施形態の空気調和装置１では、化粧パネル３とドレンパン７とからなるケーシング２の下部に実質的な吸入口及び主吹出口としての吸入流路及び主吹出流路１２ａ、１２ｂ、１２ｃ、１２ｄとともに、実質的な補助吹出口としての補助吹出流路１２ｅ、１２ｆ、１２ｇが形成されている。
【００３４】
本実施形態においては、補助吹出口３２ｅ、３２ｆ、３２ｈが配置されたパネル角部３０ｅ、３０ｆ、３０ｈには、主吹出口３２ａ、３２ｂ、３２ｃ、３２ｄに設けられた水平フラップ３５ａ、３５ｂ、３５ｃ、３５ｄの連結ピン３６同士を接続するための連結軸３７が配置されている。例えば、補助吹出口３２ｅを例にすると、連結軸３７は、化粧パネル３の平面視において、補助吹出口３２ｅの吸入口３１側に配置されている。しかも、水平フラップ３５ａのパネル角部３０ｅ側の端部に設けられた連結ピン３６は、水平スラップ３５ａの長手方向の端部よりも内側の位置で、かつ、水平フラップ３５ａの羽根部分よりも上側の位置に設けられており、パネル本体３ａの軸受部３ｃによって回転可能に軸支されている。このため、化粧パネル３の平面視において、連結軸３７と連結ピン３６との接続部、すなわち、連結軸３７がさらに吸入口３１側に配置されるようになっている。
【００３５】
（３）空気調和装置の動作
次に、空気調和装置１の動作について、図２、図４、図５及び図６を用いて説明する。
運転を開始すると、ファンモータ４１が駆動されて、送風機４の羽根車４２が回転する。また、ファンモータ４１の駆動とともに、熱交換器６内には、室外ユニット（図示せず）から冷媒が供給される。ここで、熱交換器６は、冷房運転時には蒸発器として、暖房運転時には凝縮器として作用する。そして、羽根車４２の回転に伴って、空調室内の空気は、化粧パネル３の吸入口３１からフィルタ３４及びベルマウス５を通じて送風機４の下側からケーシング本体２ａ内に吸入される。この吸入された空気は、羽根車４２によって外周側に吹き出されて熱交換器６に達し、熱交換器６において冷却又は加熱された後、主吹出孔７２ａ、７２ｂ、７２ｃ、７２ｄ及び主吹出口３２ａ、３２ｂ、３２ｃ、３２ｄ（すなわち、主吹出流路１２ａ、１２ｂ、１２ｃ、１２ｄ）と、補助吹出孔７２ｅ、７２ｆ、７２ｇ及び補助吹出口３２ｅ、３２ｆ、３２ｇ（すなわち、補助吹出流路１２ｅ、１２ｆ、１２ｇ）とを通じて空調室内に向かって吹き出される。このようにして、空調室内の冷房又は暖房が行われる。
【００３６】
ここで、主吹出口３２ａ、３２ｂ、３２ｃ、３２ｄから空調室内に吹き出される気流Ｘの風向は、水平フラップ３５ａ、３５ｂ、３５ｃ、３５ｄによって風向調節範囲（具体的には、天井Ｕの下面に対して角度β1から角度β2までの範囲）内に調節されている。一方、補助吹出口３２ｅ、３２ｆ、３２ｇから空調室内に吹き出される気流Ｙは、天井Ｕの下面に対して水平フラップ３５ａ、３５ｂ、３５ｃ、３５ｄの風向調節範囲のほぼ中間の方向である角度γの方向に吹き出されるようになっている。
【００３７】
しかし、例えば、補助吹出口３２ｅを例にすると、補助吹出口３２ｅは、主吹出口３２ｄと主吹出口３２ａとに隣り合うパネル角部３０ｅに配置されているため、主吹出口３２ｄ及び主吹出口３２ａから空調室内に吹き出される気流Ｘの影響を受けやすくなっている。具体的には、補助吹出口３２ｅから吹き出される気流Ｙは、隣り合う主吹出口３２ｄ及び主吹出口３２ａから吹き出される気流Ｘに引きずられて方向が変化する傾向にある。このため、補助吹出口３２ｅから吹き出される気流Ｙは、主吹出口３２ｄ、３２ａに設けられた水平フラップ３５ｄ、３５ａを揺動させることによって、この気流Ｘの風向と同じ方向に向くように変化させられるようになる。
【００３８】
これにより、主吹出口３２ｄ、３２ａから吹き出される気流Ｘの風向を補助吹出口３２ｅから吹き出される気流の風向Ｙ（すなわち、天井Ｕの下面に対して角度γの方向）よりも小さい角度に調節すると、補助吹出口３２ｅから吹き出される気流Ｙの風向は、それに引きずられて、角度γよりも小さくなる。逆に、主吹出口３２ｄ、３２ａから吹き出される気流Ｘの風向を補助吹出口３２ｅから吹き出される気流Ｙの風向（すなわち、天井Ｕの下面に対して角度γの方向）よりも大きい角度に調節すると、補助吹出口３２ｅから吹き出される気流Ｙの風向は、それに引きずられて、角度γよりも大きくなる。
【００３９】
このように、補助吹出口３２ｅから吹き出される空気の上下方向の風向を可変するための水平フラップ等の機構を設けずに一定方向に吹き出すようにしていても、補助吹出口３２ｅから吹き出される気流Ｙの風向を可変することができる。尚、他の補助吹出口３２ｆ、３２ｇについても、補助吹出口３２ｅと同様に、水平フラップ等の機構を設けなくても、隣り合う主吹出口から吹き出される気流Ｘの風向の変化に応じて、気流Ｙの吹き出し方向を可変することができる。
【００４０】
また、補助吹出口３２ｅ、３２ｆ、３２ｇの開口面積Ｓ2は、主吹出口３２ａ、３２ｂ、３２ｃ、３２ｄの開口面積Ｓ1よりも小さくなっており、主吹出口３２ａ、３２ｂ、３２ｃ、３２ｄから吹き出される空気の流速を大幅に低下させてしまうことがないため、補助吹出口３２ｅ、３２ｆ、３２ｇを設けることによって空調室内の気流分布を良好にすることができるとともに、主吹出口３２ａ、３２ｂ、３２ｃ、３２ｄから吹き出される空気をできる限り遠方まで到達させることができるようになっている。
【００４１】
（４）空気調和装置の特徴
本実施形態の空気調和装置１には、以下のような特徴がある。
（Ａ）
本実施形態の空気調和装置１では、主吹出口３２ａ、３２ｂ、３２ｃ、３２ｄの長手方向の軸周りに揺動可能な水平フラップ３５ａ、３５ｂ、３５ｃ、３５ｄを設けることで主吹出口３２ａ、３２ｂ、３２ｃ、３２ｄから吹き出される気流Ｘの風向を可変できるようにしているが、補助吹出口３２ｅ、３２ｆ、３２ｇ、３２ｈには、その周縁部（本実施形態では、パネル下面部３ｂの外周角部３９ｅ、３９ｆ、３９ｇ、３９ｈの補助吹出口３２ｅ、３２ｆ、３２ｇ、３２ｈ側の面）によって、補助吹出口３２ｅ、３２ｆ、３２ｇから吹き出される気流Ｙが一定方向に吹き出されるようにしているだけであり、水平フラップ等の機構を設けていない。
【００４２】
このような構成であっても、補助吹出口３２ｅ、３２ｆ、３２ｇから吹き出される気流Ｙが、隣り合う主吹出口３２ａ、３２ｂ、３２ｃ、３２ｄから吹き出される気流Ｘに引きずられて吹き出し方向が変化するという特性を利用して、補助吹出口３２ｅ、３２ｆ、３２ｇから吹き出される気流Ｙの上下方向の風向を可変するための水平フラップ等の機構を設けることなく、補助吹出口３２ｅ、３２ｆ、３２ｇから吹き出される気流Ｙの向きを可変することができるようになっているため、補助吹出口３２ｅ、３２ｆ、３２ｇを設けることによって空調室内に吹き出される空気の流量を増加させて空調室内の気流分布を良好にすることができるとともに、吹き出し方向を調節するための構成を簡単にすることができる。
【００４３】
しかも、補助吹出口３２ｅ、３２ｆ、３２ｇから吹き出される気流Ｙの上下の吹き出し方向は、主吹出口３２ａ、３２ｂ、３２ｃ、３２ｄから吹き出される気流Ｘの吹き出し方向の水平フラップ３５ａ、３５ｂ、３５ｃ、３５ｄによる上下の風向調節範囲のほぼ中間の方向であるため、補助吹出口３２ｅ、３２ｆ、３２ｇから吹き出される気流Ｙを主吹出口３２ａ、３２ｂ、３２ｃ、３２ｄから吹き出される気流Ｘの吹き出し方向に近い方向に吹き出すこととなり、主吹出口３２ａ、３２ｂ、３２ｃ、３２ｄから吹き出される気流Ｘの影響を受けやすくなる。これにより、主吹出口３２ａ、３２ｂ、３２ｃ、３２ｄから吹き出される気流Ｘに引きずられて補助吹出口３２ｅ、３２ｆ、３２ｇから吹き出される気流Ｙの風向が変化する際の追従性が向上し、空調室内の気流分布をさらに良好に保つことができる。
【００４４】
また、補助吹出口３２ｅ、３２ｆ、３２ｇ、３２ｈの開口面積Ｓ2は、主吹出口３２ａ、３２ｂ、３２ｃ、３２ｄの開口面積Ｓ1よりも小さいため、主吹出口３２ａ、３２ｂ、３２ｃ、３２ｄから吹き出される気流の流速を大幅に低下させてしまうことがないため、補助吹出口３２ｅ、３２ｆ、３２ｇを設けることによって空調室内の気流分布を良好にすることができるとともに、主吹出口３２ａ、３２ｂ、３２ｃ、３２ｄから吹き出される気流Ｘをできる限り遠方まで到達させることができる。
【００４５】
（Ｂ）
本実施形態の空気調和装置１では、主吹出口３２ａ、３２ｂ、３２ｃ、３２ｄに設けられた水平スラップ３５ａ、３５ｂ、３５ｃ、３５ｄ同士を同期して揺動させるためのリンク機構としての連結軸３７を補助吹出口３２ｅ、３２ｆ、３２ｈの吸入口３１側に配置することによって、ケーシング本体２ａ（具体的には、天板２１）の平面形状を大きくする等の変更を行わなくても、補助吹出口３２ｅ、３２ｆ、３２ｇ、３２ｈ及び連結軸３７との両方をパネル角部３０ｅ、３０ｆ、３０ｇ、３０ｈに設けることが可能である。
【００４６】
例えば、本実施形態の空気調和装置１では、ケーシング本体２ａの平面形状が固定金具２３を含めて略４角形状になるように天板２１の長辺及び短辺との長さを設定されているが、このような寸法関係を変更する必要がない。
しかも、水平フラップ３５ａ、３５ｂ、３５ｃ、３５ｄは、その長手方向の端部よりも長手方向の内側の位置に連結軸３７に連結される連結ピン３６を有しているため、連結軸３７をさらに補助吹出口３２ｅ、３２ｆ、３２ｈの吸入口３１側に配置することができるようになり、パネル角部３０ｅ、３０ｆ、３０ｇ、３０ｈに補助吹出口３２ｅ、３２ｆ、３２ｇ、３２ｈを容易に形成することができる。
【００４７】
（５）他の実施形態
以上、本発明の実施形態について図面に基づいて説明したが、具体的な構成は、これらの実施形態に限られるものではなく、発明の要旨を逸脱しない範囲で変更可能である。
（Ａ）
前記実施形態では、パネル角部３０ｅ、３０ｆ、３０ｇ、３０ｈの全てに対応するように補助吹出口３２ｅ、３２ｆ、３２ｇ、３２ｈが形成されているにもかかわらず、ドレンパン７に補助吹出口３２ｈに対応する補助吹出孔が設けられていないため、４つの補助吹出口３２ｅ、３２ｆ、３２ｇ、３２ｈのうち、３つの補助吹出口３２ｅ、３２ｆ、３２ｇのみが実質的な補助吹出口として機能していたが、図９（他の実施形態にかかる空気調和装置の概略平面断面図であって、図３に相当する図）に示されるように、ドレンパン７の補助吹出口３２ｈに対応する位置にも補助吹出孔７２ｈを形成して補助吹出流路１２ｈを設けることによって、ケーシング本体２ａ内の空気を補助吹出口３２ｈから空調室内に吹き出すようにしてもよい。これにより、化粧パネル３の４つのパネル辺部３０ａ、３０ｂ、３０ｃ、３０ｄ及び４つのパネル角部３０ｅ、３０ｆ、３０ｇ、３０ｈの全てから空調室内に空気を吹き出すことができるため、空調室内に吹き出される気流分布をさらに良好にすることができる。
【００４８】
（Ｂ）
前記実施形態では、補助吹出口３２ｅ、３２ｆ、３２ｇ、３２ｈは、パネル角部３０ｅ、３０ｆ、３０ｇ、３０ｈの全てに形成されているが、パネル角部３０ｅ、３０ｆ、３０ｇ、３０ｈの少なくとも１つにケーシング本体２ａ内の空気を吹き出させることができる状態（すなわち、ドレンパン７に補助吹出孔が形成されている状態）で形成されていればよい。この場合においても、補助吹出口から吹き出される空気の上下方向の風向を可変するための水平フラップ等の機構を設けることなく、補助吹出口から吹き出される空気の風向を可変することができるため、空調室内の気流分布を良好にすることができるとともに、吹き出し方向を調節するための構成を簡単にすることができる。
【００４９】
（Ｃ）
前記実施形態では、本発明を天井埋込型の空気調和装置に適用したが、天井吊下型の空気調和装置にも適用可能である。
【産業上の利用可能性】
【００５０】
本発明を利用すれば、空調室の天井に設けられた空気調和装置において、空調室内の気流分布を良好にするとともに、吹出口から吹き出される気流の風向を調節するための構造を簡単にすることができる。
【図面の簡単な説明】
【００５１】
【図１】本発明の一実施形態にかかる空気調和装置の外観斜視図である。
【図２】空気調和装置の概略側面断面図であって、図３のＡ−Ｏ−Ａ断面図である。
【図３】空気調和装置の概略平面断面図であって、図２のＢ−Ｂ断面図である。
【図４】空気調和装置の化粧パネルを空調室内から見た平面図である。
【図５】図２の拡大図であって、主吹出口に対応する主吹出流路付近を示す図である。
【図６】図２の拡大図であって、補助吹出口に対応する補助吹出流路付近を示す図である。
【図７】図４の拡大図であって、補助吹出口付近を示す図（パネル下面部の一部を破断して図示）である。
【図８】図３のＣ−Ｃ断面図である。
【図９】他の実施形態にかかる空気調和装置の概略平面断面図であって、図３に相当する図である。
【符号の説明】
【００５２】
１  空気調和装置
２  ケーシング
３  化粧パネル（ケーシング下部）
７  ドレンパン（ケーシング下部）
３０ａ〜３０ｄ  パネル辺部（辺部）
３０ｅ〜３０ｈ  パネル角部（角部）
３２ａ〜３２ｄ  主吹出口
３１  吸入口
３２ｅ〜３２ｈ  補助吹出口
３５ａ〜３５ｄ  水平フラップ（水平羽根）
３６  連結ピン
３７  連結軸（リンク機構）
Ｘ、Ｙ  気流
【図１】
0003700718.tif 000002
【図２】
0003700718.tif 000003
【図３】
0003700718.tif 000004
【図４】
0003700718.tif 000005
【図５】
0003700718.tif 000006
【図６】
0003700718.tif 000007
【図７】
0003700718.tif 000008
【図８】
0003700718.tif 000009
【図９】
0003700718.tif 000010